(57)【要約】      （修正有）【課題】周囲からの遮蔽性を確保するとともに、人体に対して複合的な効果を付与可能な感染予防パネルを提供する。【解決手段】感染予防パネル１は、二種類以上の木材パネル６を含んで構成され、かつ二種類以上の木材パネルが外部に露出するパネル面７が形成されたパネル部４を備える。木材の有機揮発成分がパネル面から放出され、人体に複合的な効果を与える。【選択図】図１
0003227589.tif 000002
【実用新案登録請求の範囲】
【請求項１】
二種類以上の木材を含んで構成され、かつ前記二種類以上の木材が外部に露出するパネル面が形成されたパネル部を備える感染予防パネル。
【請求項２】
前記パネル部は、前記二種類以上の木材からなる二種類以上の木材パネルを面状に敷き詰めて構成される、
請求項１に記載の感染予防パネル。
【請求項３】
前記二種類以上の木材パネルのうち一種類の木材パネルは、スギ、ヒノキのうちの少なくとも一つからなる、
前記二種類以上の木材パネルのうち他の種類の木材パネルは、ユーカリからなる、
請求項２に記載の感染予防パネル。
【請求項４】
前記パネル部の高さ方向における中間の位置に、ユーカリの木材パネルが配置される、
請求項３に記載の感染予防パネル。
【請求項５】
前記パネル面は、粗化された表面形状を有する、
請求項１〜４のいずれか１項に記載の感染予防パネル。
【考案の詳細な説明】
【技術分野】
【０００１】
本考案は、感染症を予防するための感染予防パネルに関する。
【背景技術】
【０００２】
新型コロナウィルスなどによる感染症が発生した場合、細菌又はウィルスとの共存・共生を前提とした新たな生活様式が求められることがある。この生活様式は、具体的には、密閉・密集・密接の「三密」を回避する行動や、飛沫感染を予防する器具・設備の導入などによって実践され得る。
【０００３】
特許文献１には、対面販売や対面接客するための対面位置に、感染症対策用などの防護部材からなるシールド具を載置可能に設けたパネルが開示されている。また、同文献には、このシールド具の材料は、例えば、ポリカーボネート、ポリエチレンテレフタレート、アクリルなどの透明性樹脂であることが記載されている。
【先行技術文献】
【特許文献】
【０００４】
【特許文献１】登録実用新案第３１５２４９３号公報
【考案の概要】
【考案が解決しようとする課題】
【０００５】
しかしながら、特許文献１で開示されるパネルは透明であるため、パネルの周辺にいる者は、そのパネルの外側から内側を覗き見ることができる。その結果、個人や組織に関する秘密情報が第三者に漏洩するという問題が生じる。
【０００６】
本考案はこのような課題に鑑みてなされたものであり、その目的は、周囲からの遮蔽性を確保するとともに、人体に対して複合的な効果を付与可能な感染予防パネルを提供することにある。
【課題を解決するための手段】
【０００７】
本考案における感染予防パネルは、二種類以上の木材を含んで構成され、かつ前記二種類以上の木材が外部に露出するパネル面が形成されたパネル部を備える。このように、遮光性が高い木材を用いてパネル部を構成することで、パネル部の外側にいる者はその内側を視認できなくなる。また、パネル面において二種類以上の木材が外部に露出するので、人体に対して直接的又は間接的な効果をもたらす、木材の種類毎の有機揮発成分が、当該パネル面から同時に放出される。これにより、周囲からの遮蔽性を確保しつつも、人体に対して複合的な効果を与えることができる。
【考案の効果】
【０００８】
本考案によれば、周囲からの遮蔽性を確保しつつも、人体に対して複合的な効果を与えることができる。
【図面の簡単な説明】
【０００９】
【図１】本考案の一実施形態における感染予防パネルの正面図である。
【図２】感染予防パネルの使用例を示す模式図である。
【考案を実施するための形態】
【００１０】
本考案における感染予防パネルについて添付の図面を参照しながら説明する。なお、本考案は、以下に示す実施形態に限定されるものではなく、この考案の主旨を逸脱しない範囲で自由に変更できることは勿論である。あるいは、技術的に矛盾が生じない範囲で各々の構成を任意に組み合わせてもよい。
【００１１】
＜感染予防パネル１の構成＞
図１は、本考案の一実施形態における感染予防パネル１の正面図である。感染予防パネル１は、人から出る飛沫を物理的に遮断することで、人から人への感染を予防するパネルである。この感染予防パネル１は、店舗やオフィスなどの人が集まりやすい場所、特に屋内に設置される。
【００１２】
感染予防パネル１は、基本的には木材で構成されており、平面視にて矩形状のパネル本体２と、パネル本体２を下方から支持する一対の足部３と、を備える。パネル本体２は、一対のパネル部４，４と、各々のパネル部４を着脱可能に収容する枠体部５と、を備える。
【００１３】
各々のパネル部４は、正方形状の木材パネル６を「３×３」の格子状に配置することで、正方形の平面を形成する。なお、木材パネル６の形状は、正方形に限られず、隙間なく敷き詰められる様々な形状（例えば、長方形、正三角形、正六角形を含む多角形）であってもよい。
【００１４】
各々の木材パネル６は、フィトンチッドを放出する木材からなる。この「フィトンチッド」は、テルペン類を主成分とする有機揮発成分であり、リフレッシュ効果を含む森林浴効果をもたらす。木材の種類の一例として、スギ、ヒノキ、ヒバ、トドマツ、ユーカリなどが挙げられる。「スギ」や「ヒノキ」には、抗菌・抗ウィルス、鎮静・血圧低下、癒しの効果がある。「ヒバ」には、抗菌・抗ウィルスの効果がある。「トドマツ」には、抗菌・抗ウィルス、鎮静・血圧低下の効果がある。「ユーカリ」には、去痰の効果がある。図１の例では、パネル部４の上段には、スギの木材パネル６Ａが３枚並んで配置される。パネル部４の中段には、ユーカリの木材パネル６Ｂが３枚並んで配置される。パネル部４の下段には、ヒノキの木材パネル６Ｃが３枚並んで配置される。
【００１５】
パネル面７は、パネル部４が有する一対の主面のうち、枠体部５に収容された状態にて外部に露出する主面である。パネル面７には、表面積を微視的に増加させる「粗化処理」が施されている。粗化処理の一例として、木材の表面上に多数の溝や穴を形成するレーザ加工処理が挙げられる。この溝や穴の深さは、フィトンチッドをより発生させるという観点から、０．１ｍｍ以上であることが好ましく、０．５ｍｍ以上であることがより好ましく、１ｍｍ以上であることが更に好ましい。また、溝や穴の深さは、感染予防パネル１の美観の観点から、２０ｍｍ以下であることが好ましく、１０ｍｍ以下であることがより好ましく、５ｍｍ以下であることが更に好ましい。
【００１６】
なお、感染予防パネル１の構成は図１の例に限られない。例えば、［１］パネル本体２のサイズ・形状、［２］パネル本体２の支持機構、［３］パネル部４の着脱機構、［４］パネル部４のユニット数・サイズ・外形・配置、［５］木材パネル６の種類数・組み合わせ・配置、などを必要に応じて変更してもよい。
【００１７】
＜感染予防パネル１による作用効果＞
本実施形態における感染予防パネル１は、以上のように構成される。続いて、この感染予防パネル１による作用効果について、図２を参照しながら説明する。
【００１８】
図２は、感染予防パネル１の使用例を示す模式図である。ここでは、複数の人が同時に利用可能な横長テーブル１０が図示されている。横長テーブル１０の上には、着席者１１を挟むように、二基の感染予防パネル１が配置される。この間仕切りによって、着席者１１毎の空間１２が形成される。これにより、着席者１１から出た飛沫が、その空間１２の外部に移動するのを防止できる。
【００１９】
また、少なくとも一方の感染予防パネル１は、パネル面７が着席者１１に向くように設置される。木材の種類毎の有機揮発成分がパネル面７から同時に放出されるので、［１］抗菌・抗ウィルス、［２］免疫力向上、［３］空気清浄・癒しなどを組み合わせた複合的な効果を着席者１１に付与することができる。
【００２０】
感染予防パネル１には、上方から順に、スギの木材パネル６Ａ、ユーカリの木材パネル６Ｂ、ヒノキの木材パネル６Ｃが配置される。木材パネル６Ａ，６Ｃを設けることで、着席者１１に対して、抗菌・抗ウィルス、鎮静・血圧低下、癒しの効果を付与することができる。また、着席者１１の頭の位置、すなわち、飛沫が付着する可能性が高い位置に木材パネル６Ｂを設けることで、ユーカリの去痰効果がより発揮されやすくなる。
【００２１】
また、粗化されたパネル面７は、表面形状が平坦である場合と比べて表面積が大きくなっているので、より多くの量の有機揮発成分を放出することができる。これにより、有機揮発成分による効果が高くなる一方、その持続期間が短くなってしまう。そこで、効果が薄れたパネル部４を枠体部５から取り外し、新しいパネル部４を枠体部５に装着することで、感染予防パネル１の使用を継続することができる。
【００２２】
以上のように、感染予防パネル１は、二種類以上の木材を含んで構成され、かつ二種類以上の木材が外部に露出するパネル面７が形成されたパネル部４を備える。このように、遮光性が高い木材を用いてパネル部４を構成することで、パネル部４の外側にいる者はその内側を視認できなくなる。また、パネル面７において二種類以上の木材が外部に露出するので、人体に対して直接的又は間接的な効果をもたらす、木材の種類毎の有機揮発成分が、当該パネル面７から同時に放出される。これにより、周囲からの遮蔽性を確保しつつも、人体に対して複合的な効果を与えることができる。
【００２３】
また、パネル部４は、二種類以上の木材からなる二種類以上の木材パネル６を面状に敷き詰めて構成されてもよい。木材パネル６が有する木目模様の自然な表現と、木材パネル６の幾何学的配置による人工的な表現が融合することで、パネル部４の意匠性がさらに高まる。
【００２４】
また、二種類以上の木材パネル６のうち一種類の木材パネルは、スギ、ヒノキのうちの少なくとも一つかなり、二種類以上の木材パネル６のうち他の種類の木材パネルは、ユーカリからなってもよい。これにより、抗菌・抗ウィルス、鎮静・血圧低下、癒しの効果の他、去痰の効果も、人体に対して与えることができる。
【００２５】
また、パネル部４の高さ方向における中間の位置に、ユーカリの木材パネル６Ｂが配置されてもよい。これにより、人から飛沫が出る可能性が高いと推定される高さ位置にユーカリの木材パネル６Ｂを配置可能となり、ユーカリの去痰効果がより発揮されやすくなる。
【００２６】
また、パネル部４のパネル面７は、粗化された表面形状を有してもよい。この場合、平坦な表面形状を有する場合と比べて表面積が大きくなり、その分だけパネル面７からの有機揮発成分の放出量が増加する。
【符号の説明】
【００２７】
１‥感染予防パネル、２‥パネル本体、３‥足部、４‥パネル部、５‥枠体部、６（６Ａ，６Ｂ，６Ｃ）‥木材パネル、７‥パネル面、１０‥横長テーブル、１１‥着席者、１２‥空間
【図１】
0003227589.tif 000003
【図２】
0003227589.tif 000004